(57)【要約】【課題】複数のアンテナを切り換えて受信を行う場合に、通信対象でない無線通信装置を判別することである。【解決手段】通信対象の全ての無線通信装置から応答パケットを受信した場合、受信した応答パケットの拡散符号と予め定められている拡散符号とから算出される相関値を算出し、算出した相関値の中の最低値（最小値）を求める（Ｓ１３及びＳ１４）。得られた相関値の最低値に、予め実験的に求めたマルチパスフェージング等による無線信号の劣化分を考慮した所定のマージンを持った値を相関値のしきい値として設定する。【選択図】      図３
2006311396.tif 000002
【特許請求の範囲】
【請求項１】
スペクトラム拡散された信号を用いて無線通信を行う無線通信装置において、
通信対象の複数の無線通信装置から送信される無線信号の拡散符号と予め定められている拡散符号とから算出される複数の相関値の中の最小値をしきい値として設定するしきい値設定部と、
前記しきい値が設定された後受信する無線信号の拡散符号と予め定められている拡散符号とから算出される相関値が前記しきい値を超えているか否かを判定する判定部とを備える無線通信装置。
【請求項２】
前記複数の無線通信装置がそれぞれ前記しきい値設定部を備える請求項１に記載の無線通信装置。
【請求項３】
前記しきい値設定部の設定するしきい値を調整することで前記通信対象の範囲を調整可能とした請求項１または請求項２に記載の無線通信装置。
【請求項４】
無線信号を受信する複数のアンテナと、
前記複数のアンテナの１つを選択するアンテナ切り換え回路と、
前記判定部でしきい値以下と判定された場合、前記アンテナ切り換え回路による前記アンテナの確定を行わないように制御する切り換え制御部とを備える請求項１から請求項３のいずれか一項に記載の無線通信装置。
【請求項５】
前記アンテナ切り換え回路は、無線信号のプリアンブル期間に第１及び第２のアンテナの切り換えを行い、
前記切り換え制御部は、前記しきい値が設定された後前記第１のアンテナで受信する無線信号の拡散符号と予め定められている拡散符号とから算出される相関値と、前記しきい値が設定された後前記第２のアンテナで受信する無線信号の拡散符号と予め定められている拡散符号とから算出される相関値とが前記しきい値を超えていると判定された場合、前記第１のアンテナで受信する前記無線信号の受信信号レベルと、前記第２のアンテナで受信する前記無線信号の受信信号レベルとを比較し、受信信号レベルの大きい方のアンテナを選択するように前記アンテナ切り換え回路を制御する請求項４に記載の無線通信装置。
【請求項６】
スペクトラム拡散された信号を用いて無線通信を行う無線通信装置において、
通信対象の複数の無線通信装置のうち、通信距離が最大となる無線通信装置から送信される無線信号の拡散符号と予め定められている拡散符号とから算出される相関値をしきい値として設定するしきい値設定部と、
前記しきい値が設定された後受信する無線信号の拡散符号と予め定められている拡散符号とから算出される相関値が前記しきい値を超えているか否かを判定する判定部とを備える無線通信装置。
【請求項７】
前記複数の無線通信装置がそれぞれ前記しきい値設定部を備える請求項６に記載の無線通信装置。
【請求項８】
前記しきい値設定部の設定するしきい値を調整することで前記通信対象の範囲を調整可能とした請求項６または請求項７に記載の無線通信装置。
【請求項９】
無線信号を受信する複数のアンテナと、
前記複数のアンテナの１つを選択するアンテナ切り換え回路と、
前記判定部でしきい値以下と判定された場合、前記アンテナ切り換え回路による前記アンテナの確定を行わないように制御する切り換え制御部とを備える請求項６から請求項８のいずれか一項に記載の無線通信装置。
【請求項１０】
前記アンテナ切り換え回路は、無線信号のプリアンブル期間に第１及び第２のアンテナの切り換えを行い、
前記切り換え制御部は、前記しきい値が設定された後前記第１のアンテナで受信する無線信号の拡散符号と予め定められている拡散符号とから算出される相関値と、前記しきい値が設定された後前記第２のアンテナで受信する無線信号の拡散符号と予め定められている拡散符号とから算出される相関値とが前記しきい値を超えていると判定された場合、前記第１のアンテナで受信する前記無線信号の受信信号レベルと、前記第２のアンテナで受信する前記無線信号の受信信号レベルとを比較し、受信信号レベルの大きい方のアンテナを選択するように前記アンテナ切り換え回路を制御する請求項９に記載の無線通信装置。
【発明の詳細な説明】
【技術分野】
【０００１】
本発明は、スペクトラム拡散された信号を用いて無線通信を行う無線通信装置に関する。
【背景技術】
【０００２】
マルチパスフェージング等に対して通信品質を向上させる方法として、複数のアンテナを切り換えて無線信号を受信するダイバーシチと呼ばれる方法がある。この方法では、各アンテナの受信信号レベルを測定し、そのとき受信信号レベルの最も大きいアンテナを使用して通信を行う。
【０００３】
特許文献１には、アナログのスペクトラム拡散通信において、アンテナを切り換えて受信を行い、受信信号レベルの最も大きいアンテナを選択することが記載されている。
特許文献２には、スペクトラム拡散通信において、複数のアンテナのそれぞれを介して受信した受信信号のキャリアレベルと相関値に基づいてアンテナを切り換えることが記載されている。
【０００４】
ところで、無線ＬＡＮ通信等においては、以下に述べるような問題がある。図８は、無線ＬＡＮ通信の同一グループに属する無線通信装置（通信対象の無線通信装置）であるＡ局及びＢ局と、それとは別の他のグループに属する無線通信装置（通信対象でない無線通信装置）であるＸ局とが存在する無線ＬＡＮシステムを示す図である。
【０００５】
Ａ局とＢ局は、図８に破線で囲まれる同一グループＴ１に属し、Ｘ局は、破線で示す他のグループＴ２に属する。各局はそれぞれ２個のアンテナを有し、２個のアンテナを切り換えて受信状態の良いアンテナを使用して無線通信を行う。
【０００６】
Ａ局で受信される無線信号について考えると、Ｂ局から送信される無線信号は、例えば、図８にｂ１またはｂ２に示す経路を通ってＡ局で受信される。Ａ局とＢ局が属するグループとは別の他のグループに属するＸ局から送信される無線信号は、ビルの壁面等で反射され、例えば、図８にａ１またはａ２で示す経路を通ってＡ局で受信される。その場合、Ａ局で受信されるＸ局からの無線信号の受信信号レベルが、Ａ局で受信可能な受信信号レベル以上であると、Ａ局はＸ局からの無線信号を受信してしまう。Ａ局がＸ局からの無線信号の受信を開始すると、同一グループＴ１に属する他の局からの無線信号を受信できず、本来の通信局群間（同一グループＴ１間）での実効伝送レートが低下するという問題点があった。
【特許文献１】特開平８−１０７３８０号公報
【特許文献２】特開２０００−１８３７９１号公報
【発明の開示】
【発明が解決しようとする課題】
【０００７】
本発明の課題は、スペクトラム拡散通信により無線通信を行う無線通信装置において、通信対象でない無線通信装置を判別することである。
【課題を解決するための手段】
【０００８】
本発明は、スペクトラム拡散された信号を用いて無線通信を行う無線通信装置において、通信対象の複数の無線通信装置から送信される無線信号の拡散符号と予め定められている拡散符号とから算出される複数の相関値の中の最小値をしきい値として設定するしきい値設定部と、前記しきい値が設定された後受信する無線信号の拡散符号と予め定められている拡散符号とから算出される相関値が前記しきい値を超えているか否かを判定する判定部とを備える。
【０００９】
この発明によれば、通信対象でない無線通信装置を判別することができる。
上記の発明の無線通信装置において、前記複数の無線通信装置がそれぞれ前記しきい値設定部を備える。
【００１０】
このように構成することで、通信対象の複数の無線通信装置が、通信対象でない無線通信装置を判別することができる。
上記の発明の無線通信装置において、前記しきい値設定部の設定するしきい値を調整することで前記通信対象の範囲を調整可能とした。
【００１１】
このように構成することでしきい値を調整することで通信対象の通信範囲を調整することができる。
上記の発明の無線通信装置において、無線信号を受信する複数のアンテナと、前記複数のアンテナの１つを選択するアンテナ切り換え回路と、前記判定部で前記相関値がしきい値以下と判定された場合、前記アンテナ切り換え回路による前記アンテナの確定を行わないように制御する切り換え制御部とを備える。
【００１２】
このように構成することで、通信対象でない無線通信装置からの無線信号を受信してアンテナが確定されるのを回避できる。これにより、通信対象の無線通信装置の無線信号が受信可能となるので実効通信レートを高めることができる。
【００１３】
上記の発明の無線通信装置において、前記アンテナ切り換え回路は、前記無線信号のプリアンブル期間に第１及び第２のアンテナの切り換えを行い、前記切り換え制御部は、前記しきい値が設定された後前記第１のアンテナで受信する無線信号の拡散符号と予め定められている拡散符号とから算出される相関値と、前記しきい値が設定された後前記第２のアンテナで受信する無線信号の拡散符号と予め定められている拡散符号とから算出される相関値とが前記しきい値を超えていると判定された場合、前記第１のアンテナで受信する前記無線信号の受信信号レベルと、前記第２のアンテナで受信する前記無線信号の受信信号レベルとを比較し、受信信号レベルの大きい方のアンテナを選択するように前記アンテナ切り換え回路を制御する。
【００１４】
このように構成することでプリアンブル期間にアンテナを切り換え、相関値がしきい値を超え、かつ受信信号レベルの大きい方のアンテナを選択して無線信号を受信することができる。これにより受信信号品質を向上させることができる。
【００１５】
本発明の他の無線通信装置は、スペクトラム拡散された信号を用いて無線通信を行う無線通信装置において、通信対象の複数の無線通信装置のうち、通信距離が最大となる無線通信装置から送信される無線信号の拡散符号と予め定められている拡散符号とから算出される相関値を前記しきい値として設定するしきい値設定部と、前記しきい値が設定された後受信する無線信号の拡散符号と予め定められている拡散符号とから算出される相関値が前記しきい値を超えているか否かを判定する判定部とを備える。
【００１６】
このような構成でも通信対象でない無線通信装置を判別することができる。
上記の発明の無線通信装置において、前記複数の無線通信装置がそれぞれ前記しきい値設定部を備える。
【００１７】
このように構成することで、通信対象の複数の無線通信装置が、通信対象でない無線通信装置を判別することができる。
上記の発明の無線通信装置において、前記しきい値設定部の設定するしきい値を調整することで前記通信対象の範囲を調整可能とした。
【００１８】
このように構成することでしきい値を調整することで通信対象の通信範囲を調整することができる。
上記の発明の無線通信装置において、無線信号を受信する複数のアンテナと、前記複数のアンテナの１つを選択するアンテナ切り換え回路と、前記判定部で前記相関値がしきい値以下と判定された場合、前記アンテナ切り換え回路による前記アンテナの確定を行わないように制御する切り換え制御部とを備える。
【００１９】
このように構成することで、通信対象でない無線通信装置からの無線信号を受信してアンテナが確定されるのを回避できる。これにより、通信対象の無線通信装置の無線信号が受信可能となるので実効通信レートを高めることができる。
【００２０】
上記の発明の無線通信装置において、前記アンテナ切り換え回路は、前記無線信号のプリアンブル期間に第１及び第２のアンテナの切り換えを行い、前記切り換え制御部は、前記しきい値が設定された後前記第１のアンテナで受信する無線信号の拡散符号と予め定められている拡散符号とから算出される相関値と、前記しきい値が設定された後前記第２のアンテナで受信する無線信号の拡散符号と予め定められている拡散符号とから算出される相関値とが前記しきい値を超えていると判定された場合、前記第１のアンテナで受信する前記無線信号の受信信号レベルと、前記第２のアンテナで受信する前記無線信号の受信信号レベルとを比較し、受信信号レベルの大きい方のアンテナを選択するように前記アンテナ切り換え回路を制御する。
【００２１】
このように構成することでプリアンブル期間にアンテナを切り換え、相関値がしきい値を超え、かつ受信信号レベルの大きい方のアンテナを選択して無線信号を受信することができる。これにより受信信号品質を向上させることができる。
【発明の効果】
【００２２】
本発明によれば、通信対象でない無線通信装置を判別することができる。
【発明を実施するための最良の形態】
【００２３】
以下、本発明の実施の形態を図面を参照して説明する。図１は、本発明の実施の形態の無線通信装置の複数のアンテナの１つを選択するアンテナ切り換え回路１３と無線受信部１４の構成を示す図である。この無線通信装置は、ＩＥＥＥ８０２．１１の通信プロトコルに基づいて無線信号の送受信を行う。
【００２４】
図１において、２個のアンテナ１１，１２は、アンテナ切り換え回路１３により順に切り換えられ、選択されたアンテナで受信された無線信号が無線受信部１４で同期、復調される。
【００２５】
無線受信部１４は、図示しない無線信号受信回路と、図示しない通信対象全ての無線通信装置のアドレスが記憶されたデータテーブルと、相関値比較部１５と、しきい値設定部１６と、判定部１７と、アンテナ切り換え回路１３の制御を行う切り換え制御部１８と、アンテナ１１，アンテナ１２から受信する無線信号の受信信号レベルを比較するＲＳＳＩ比較部１９とを有する。
【００２６】
相関値比較部１５は、無線信号を受信する毎にカウントするカウンタと、相関値を算出する算出部と、相関値を記録するアンテナ１１用のメモリ１、アンテナ１２用のメモリ２と、算出部から算出された相関値とメモリ１またはメモリ２に記録された相関値とを比較する相関比較器とから構成される。
【００２７】
しきい値設定部１６は、算出した相関値の最小値に対して所定のマージンを持たせた値をしきい値として設定する。
判定部１７は、しきい値設定部１６によりしきい値が設定された後、相関比較部１５の比較結果を基に、受信する無線信号の拡散符号と予め定められている拡散符号とから算出される相関値が、しきい値設定部１６により設定されたしきい値を超えているか否かを判定する。
【００２８】
切り換え制御部１８は、しきい値設定部１６によりしきい値が設定された後、アンテナ切り換え回路１３によりアンテナ１１とアンテナ１２を順に切り換え、そのとき選択されたアンテナ１１（または１２）で受信した無線信号の相関値がしきい値設定部１６により設定されたしきい値以下と判定部１７で判定された場合、アンテナ切り換え回路１３が特定のアンテナを選択しないように、つまりアンテナを確定させないように制御する。
【００２９】
ＲＳＳＩ比較部１９は、アンテナ１１用のメモリ３と、アンテナ１２用のメモリ４と、メモリ３に記録された受信信号レベルとメモリ４に記録された受信信号レベルとを比較するＲＳＳＩ比較器とから構成される。
【００３０】
ここで、しきい値設定部１６によりしきい値が設定された後、受信する無線信号としてのデータ信号の構成を図２を参照して説明する。
データ信号は、ＰＬＣＰ（Physical Layer Convergence Protocol）プリアンブルと、ＰＬＣＰヘッダと、ＰＬＣＰヘッダの誤り検出符号（ＣＲＣ１６）と、ＭＡＣレイヤのＭＡＣヘッダと、データ部と、ＭＡＣヘッダとデータ部の誤り検出符号であるフレームチェックシーケンス（ＦＣＳ）とからなる。
【００３１】
ＰＬＣＰプリアンブル（以下、プリアンブル）は、タイミング同期、周波数同期等に用いられるデータからなる。ＰＬＣＰヘッダ（以下、ヘッダ）は、データ部の伝送速度、長さ等を示す情報からなる。ヘッダのエラー判定は１６ビットのＣＲＣ符号により行われ、ＭＡＣヘッダ及びデータ部のエラー判定はフレームチェックシーケンス（ＦＣＳ）の３２ビットのＣＲＣ符号により行われる。
【００３２】
上記のプリアンブルを受信する期間にアンテナの選択が行われ、特定のアンテナが確定すると、プリアンブルより後の信号（ヘッダ以降）はそのアンテナに固定されて受信が行われる。
【００３３】
次に、相関値のしきい値を設定する処理を図３のフローチャートを参照して説明する。
同一グループに属する複数の無線通信装置（通信対象の無線通信装置）のうちの１局に無線信号としての問い合わせパケットを図１のアンテナ１１で送信し（図３，Ｓ１１）、その無線通信装置からの無線信号としての応答パケットをアンテナ１１で受信する（Ｓ１２）。
【００３４】
応答パケットを受信すると、カウンタのカウントを１加算し（Ｓ１３）、カウント数がデータテーブルに記憶されているアドレス数と同じ値であるか否かを判別する（Ｓ１４）。
【００３５】
ステップＳ１４において、カウント数がアドレス数より小さい値であると判別されると（Ｓ１４，ＮＯ）、受信した応答パケットの拡散符号と予め定められている拡散符号との一致度を示す相関値を算出部で算出し（Ｓ１５）、その相関値とメモリ１に記憶されている相関値とを相関比較器に入力し、比較する（Ｓ１６）。なお、メモリ１には初期値として最大の相関値（予め定められている拡散符号と完全に一致する場合の相関値）が記憶されている。
【００３６】
そして、比較した結果から、低い方の相関値をメモリ１に記憶する（Ｓ１７）。次に、プリアンブルの受信期間中にブランチを切り換え（Ｓ１８）、切り換えたアンテナ１２で受信した応答信号の拡散符号と予め定められている拡散符号との一致度を示す相関値を算出部で算出し（Ｓ１９）、その相関値とメモリ２に記憶されている相関値とを相関比較器に入力し、比較する（Ｓ２０）。なお、メモリ２には初期値としてメモリ１と同様に最大の相関値が記憶されている。そして、比較した結果から低い方の相関値をメモリ２に記憶し（Ｓ２１）、ステップＳ１１に戻り、上述の処理をカウンタのカウント数がアドレス数と同じ値になるまで上述の処理を繰り返す。
【００３７】
ステップＳ１４において、カウント数がアドレス数と同じ値であると判別されると（Ｓ１４，ＹＥＳ）、上述のステップＳ１５とステップＳ１６と同じステップＳ１５’及びＳ１６’の処理を行い、比較した結果から、低い方の相関値に予め実験的に求めたマルチパスフェージング等による無線信号の劣化分を加味した所定のマージンを持った値を相関値のしきい値として設定し、該しきい値をメモリ１に記憶する（Ｓ２２）。次に、上述のステップＳ１８〜Ｓ２１と同じステップＳ１８’〜Ｓ２１’の処理を行い、比較した結果から、低い方の相関値に無線信号の劣化分を加味した所定のマージンを持った値を相関値のしきい値として設定し、該しきい値をメモリ２に記憶する（Ｓ２３）。
【００３８】
上記のステップＳ１１〜Ｓ２３の処理により、同一グループに属する複数の無線通信装置の応答パケットを受信し、それぞれの応答パケットの拡散符号と予め定められている拡散符号とから算出される相関値を算出し、算出した相関値の最小値に対して所定のマージンを持った値を相関値のしきい値として設定することができる。このように同一グループに属する無線通信装置から受信する応答パケットの拡散符号と予め定められている拡散符号とから算出される相関値から算出する値をしきい値として設定することで、他のグループに属する無線通信装置のデータ信号を受信したときにアンテナが確定されるのを回避できる。
【００３９】
上述のようにカウンタのカウント数がアドレス数と同じ値になり、メモリ１、メモリ２にしきい値が記憶されると、受信待機状態に移行する。
図４は、無線通信装置におけるアンテナ切り換え処理のフローチャートである。
【００４０】
受信待機状態から（図４，Ｓ３１）、アンテナ１１でデータ信号を受信すると、受信したデータ信号の拡散符号と予め定められている拡散符号との一致度を示す相関値を算出部で求め（Ｓ３２）、算出部で求められた相関値とメモリ１に記憶されている相関値（しきい値）とを相関比較器に入力して比較し（Ｓ３３）、比較結果を基に、相関値が上述したしきい値設定処理により設定されるしきい値を超えたか否かを判定部１７によって判別する（Ｓ３４）。
【００４１】
受信した拡散符号の相関値がしきい値を超えていないときには（Ｓ３４，ＮＯ）、受信したデータ信号は同一グループに属する無線通信装置から送信されたデータ信号ではないと判断し、ステップＳ３５に進み、アンテナを切り換え、その後、ステップＳ３１に戻り次のデータ信号を受信するための受信待機状態となる。
【００４２】
ステップＳ３４において、受信したデータ信号の拡散符号と予め定められている拡散符号とから算出される相関値がしきい値を超えている場合には（Ｓ３４，ＹＥＳ）、ステップＳ３６に進み、そのとき選択されているブランチ（アンテナを選択する分岐）と受信信号レベルをアンテナ１１用のメモリ３に記憶する（Ｓ３６）。図１のアンテナ１１が選択された状態に対応するブランチを仮にブランチＡとすると、ブランチＡと受信信号レベルをメモリ３に記憶する。
【００４３】
次に、プリアンブルの受信期間中にブランチを切り換え（Ｓ３７）、切り換えたアンテナ１２で受信したデータ信号の拡散符号と予め定められている拡散符号との一致度を示す相関値を算出部で求め（Ｓ３８）、算出部で求められた相関値とメモリ２に記憶されている相関値（しきい値）とを相関比較器に入力して比較し（Ｓ３９）、比較結果を基に相関値が上述したしきい値設定部により設定されたしきい値を超えたか否かを判別部１７によって判別する（Ｓ４０）。
【００４４】
受信したデータ信号の拡散符号と予め定められている拡散符号とから算出される相関値がしきい値を超えている場合には（Ｓ４０，ＹＥＳ）、ステップＳ４１に進み、そのとき選択されているブランチと受信信号レベルをアンテナ１２用のメモリ４に記録する。図１のアンテナ１２が選択された状態に対応するブランチを仮にブランチＢとすると、ブランチＢと受信信号レベルをメモリ４に記憶する。
【００４５】
次に、最初に受信したブランチＡの受信信号レベルと、切り換え後のブランチＢの受信信号レベルをＲＳＳＩ比較器で比較する（Ｓ４２）。
ブランチＢで受信した受信信号レベルの方がブランチＡで受信した受信信号レベルより大きい場合には、ステップＳ４３に進み、ブランチＢに確定する。
【００４６】
ブランチＡで受信した受信信号レベルの方がブランチＢで受信した受信信号レベルより大きい場合には、ステップＳ４４に進み、ブランチＡに確定する。
また、ブランチＡの受信信号レベルとブランチＢの受信信号レベルが同一の場合には、ステップＳ４５に進み、設計的な初期値（ブランチＡまたはＢ）に確定する。
【００４７】
ブランチが確定したなら、ステップＳ４６に進み、そのブランチ、すなわち選択したアンテナでデータ信号のヘッダ以降を受信する。
また、ステップＳ４０において、受信したデータ信号の拡散符号と予め定められている拡散符号とから算出される相関値がしきい値以下と判別された場合には（Ｓ４０，ＮＯ）、受信したデータ信号は同一グループの無線通信装置から送信されたデータ信号ではないと判断し、ステップＳ３５に進み、アンテナを切り換え、その後、ステップＳ３１に戻り次のデータ信号を受信するための受信待機状態となる。
【００４８】
上記のステップＳ３１〜Ｓ４６の処理により、データ信号を受信した場合に、プリアンブルの受信期間中にブランチＡとブランチＢを切り換え、受信した拡散符号と予め定められている拡散符号とから算出される相関値がしきい値を超え、かつ受信信号レベルの高い方のブランチが選択されて受信アンテナが確定する。また、ブランチＡとブランチＢで受信したデータ信号の拡散符号と予め定められている拡散符号とから算出される相関値が、しきい値を超えないときには、ブランチの切り換えが継続されてブランチが確定しないので、データ信号のヘッダ以降の受信状態に移行しない。
【００４９】
従って、相関値のしきい値を同一グループに属する無線通信装置のデータ信号の拡散符号と予め定められている拡散符号とから算出される相関値に対して所定のマージンを持った値を設定することで、他のグループの無線通信装置からデータ信号を受信したときにブランチ（アンテナ）が確定されるのを回避できる。これにより、同一グループの無線通信装置間の実効伝送レートを高めることができる。
【００５０】
ここで、図８に示すように、同一グループに属するＡ局及びＢ局と、他のグループに属するＸ局が存在するときに、Ａ局が、Ｂ局とＸ局からデータ信号を受信する場合のアンテナの確定動作を図５を参照して説明する。
【００５１】
図５（Ａ）に示すようにＸ局からのデータ信号が、Ｂ局からのデータ信号より先に送信されたものとする。また、Ｂ局から到来するデータ信号の受信信号レベルは、Ｘ局から到来するデータ信号の受信信号レベルより十分良好であり、信号の衝突があっても、Ｂ局優位で受信可能であるとする。
【００５２】
Ａ局において、２個のアンテナＡＮＴ１とＡＮＴ２で受信されるＢ局及びＸ局のデータ信号は以下の関係を有する。
Ｂ局（ＡＮＴ１）＞Ｘ局（ＡＮＴ１）
上記の式は、アンテナＡＮＴ１で受信されるＢ局からのデータ信号の受信信号レベルが、アンテナＡＮＴ１で受信されるＸ局からのデータ信号の受信信号レベルより良いことを示している。下記の式も同様の意味である。
【００５３】
Ｂ局（ＡＮＴ２）＞Ｘ局（ＡＮＴ２）の関係を有する。
最初に、従来のアンテナ切り換え方法について説明する。図５（Ｂ）に示すように、最初にＸ局からのデータ信号を受信すると、Ａ局は、そのデータ信号のプリアンブルの受信期間中にＸ局からのデータ信号の拡散符号と予め定められている拡散符号とから算出される相関値を予め決められているしきい値と比較し、アンテナを確定するか否かを決定する。
【００５４】
従来技術では、同一グループに属する無線通信装置から送信されるデータ信号の拡散符号と予め定められている拡散符号とから算出される相関値と、他のグループに属する無線通信装置から送信されるデータ信号の拡散符号と予め定められている拡散符号とから算出される相関値の両方を考慮してしきい値を設定することは行われていないので、Ｘ局から送信されるデータ信号の拡散符号と予め定められている拡散符号とから算出される相関値がしきい値より大きくなる場合がある。その場合、図５（Ｂ）に示すように、Ｘ局からのデータ信号を受信したアンテナ（この場合、ＡＮＴ２）が確定し、Ｘ局の無線信号のヘッダ以降が受信される。そのため、一定時間後にＢ局からのデータ信号を受信しても、そのときアンテナがＡＮＴ２に確定されてＸ局からのデータ信号の受信が行われているためにＢ局からのデータ信号の受信は拒否される。
【００５５】
これに対して、本実施の形態では、同一グループに属する複数の無線通信装置から受信するデータ信号の拡散符号と予め定められている拡散符号とから算出される相関値の最小値に所定のマージンを持った値をしきい値として設定しているので、他のグループに属するＸ局から送信されるデータ信号の拡散符号と予め定められている拡散符号とから算出される相関値は上記のしきい値以下となる。
【００５６】
従って、図５（Ｃ）に示すように、Ｘ局から到来したデータ信号の拡散符号と予め定められている拡散符号とから算出される相関値がしきい値以下と判定され、アンテナは未確定の状態となるのでＸ局からのデータ信号のヘッダ以降の受信は行われない。
【００５７】
アンテナが未確定の状態で、次のＢ局からのデータ信号が受信され、Ｂ局から受信したデータ信号の拡散符号と予め定められている拡散符号とから算出される相関値がＡＮＴ１，ＡＮＴ２ともしきい値を超えていると判定されると、相関値の大きい方、あるいは受信信号レベルの大きい方のアンテナが選択され、アンテナが確定される。図５（Ｃ）は、相関値または受信信号レベルの大きいＡＮＴ１に確定されてＢ局からのデータ信号のヘッダ以降の受信が行われる場合を示している。
【００５８】
図６は、Ｂ局とＸ局のデータ信号の相関値とＡ局に設定されるしきい値との関係を示す図である。
図６に示すように、本実施の形態においては、各無線通信装置、例えば、Ａ局のしきい値をＡ局と同一グループに属する無線通信装置から送信されるデータ信号の拡散符号と予め定められている拡散符号とから算出される相関値の最小値より所定のマージン分低く、他のグループに属する無線通信装置からのデータ信号の拡散符号と予め定められている拡散符号とから算出される相関値より高くなるように設定しているので、他のグループに属するＸ局からのデータ信号の拡散符号と予め定められている拡散符号とから算出される相関値はそのしきい値より低くなる。
【００５９】
従って、Ｘ局からのデータ信号を受信した場合には、アンテナは確定されず、次にＢ局、あるいは同一グループに属する他の局からのデータ信号を受信したときにそのデータ信号を受信することができる。
【００６０】
上述した実施の形態によれば、同一グループに属する無線通信装置からのデータ信号の拡散符号と予め定められている拡散符号とから算出される相関値の最小値に対して所定のマージンを持った値をしきい値として設定することで、他のグループに属する無線通信装置からのデータ信号を受信したときにアンテナが確定されるのを回避できる。これにより、本来通信したい無線通信装置との通信を優先させることができるので実効通信レートを高めることができる。
【００６１】
次に、図７は、本発明の第２の実施の形態のアンテナ切り換え処理のフローチャートである。
この第２の実施の形態は、ブランチＡとブランチＢの受信信号レベルの比較結果と、ブランチＡとブランチＢの相関値の比較結果とに基づいてブランチの切り換え、つまりアンテナの切り換えを行うものである。以下、図４のフローチャートと同じ処理の説明は省略する。
【００６２】
図７のステップＳ３４において、一方のブランチで受信したデータ信号の拡散符号と予め定められている拡散符号とから算出される相関値がしきい値を超えていると判定された場合には（Ｓ３４，ＹＥＳ）、ステップＳ３６に進み、そのとき選択したブランチと相関値と受信信号レベルとをメモリ１もしくはメモリ２に記録する。
【００６３】
また、ブランチを切り換えた後、ステップＳ４０において、そのとき受信した拡散符号と予め定められている拡散符号とから算出される相関値がしきい値を超えていると判定された場合には（Ｓ４０，ＹＥＳ）、ステップＳ４１に進み、そのとき選択されたブランチと相関値と受信信号レベルとをメモリ１もしくはメモリ２に記録する。
【００６４】
ステップＳ４２において、ブランチＡとブランチＢの受信信号レベルが同じと判定された場合には、ステップＳ４７に進み、ブランチＡの相関値とブランチＢの相関値を比較する。
【００６５】
ステップＳ４７において、ブランチＢの相関値の方が大きいと判定された場合には、前述したステップＳ４３に進み、受信アンテナをブランチＢに確定する。
ステップＳ４７において、ブランチＡの相関値の方が大きいと判定された場合には、前述したステップＳ４４に進み、受信アンテナをブランチＡに確定する。
【００６６】
また、ステップＳ４７において、ブランチＡとブランチＢの相関値が同じと判定された場合には、前述したステップＳ４５に進み、設計的な初期値として設定されている一方のブランチに確定する。
【００６７】
上述した第２の実施の形態によれば、２つのアンテナを切り換えて測定した相関値が両方ともしきい値を超えた場合には、受信信号レベルまたは相関値の大きい方のアンテナを選択して無線信号の受信を行うことができる。これにより、より受信信号品質を高めることができる。
【００６８】
また、無線受信部にデジタルマッチドフィルタを使用した場合には、相関値が回路内部で数値的に生成されるので相関値のしきい値を設定するしきい値設定部１６の回路構成が簡素になり、低コストで回路を実現できる。ＳＡＷコンボルバ等を使用したアナログ回路では、相関信号はアナログ信号となるのでしきい値を設定するためには、コンパレータ、あるいはＡ／Ｄコンバータ等が必要となりコストアップとなる。
【００６９】
さらに、しきい値設定部１６で受信信号レベルに対して所定のしきい値を設定し、受信信号レベルがしきい値を超えない場合には、アンテナを確定しないようにしても良い。
本発明は、上述した実施の形態に限らず、例えば、以下のように構成しても良い。
（１）実施の形態では、ユニキャストで問い合わせパケットを送信しているが、ブロードキャストで問い合わせパケットを送信してもよい。但し、通常、ブロードキャストで送信された無線信号を受信した場合、無線通信装置は応答パケットを送信しない。したがって、各無線通信装置には、ブロードキャストで問い合わせパケットを受けた場合、応答パケットを送信する機能の追加が必要となる。
（２）実施の形態の無線通信装置では、アンテナ１１，１２を持ったダイバーシチ方式を採用しているが、アンテナ１本だけを有する無線通信装置でもよい。
（３）本発明は、２個のアンテナを切り換える場合に限らず、３個以上のアンテナを切り換えて受信を行う場合にも適用できる。
（４）本発明は、８０２．１１の通信プロトコルに基づく無線ＬＡＮに限らず、他の無線通信にも適用できる。
（５）実施の形態では、アンテナ１１用のしきい値（メモリ１に記憶）とアンテナ１２用のしきい値（メモリ２に記憶）を設定しているが、どちらか一方のしきい値のみ設定する構成でも良い。
【図面の簡単な説明】
【００７０】
【図１】無線通信装置の要部の構成を示す図である。
【図２】パケットの構成を示す図である。
【図３】しきい値設定処理のフローチャートである。
【図４】アンテナ切り換え処理のフローチャートである。
【図５】アンテナ切り換え動作の説明図である。
【図６】到来信号と予め定められている拡散符号とから算出される相関値としきい値の関係を示す図である。
【図７】第２の実施の形態のアンテナ切り換え処理のフローチャートである。
【図８】従来の無線ＬＡＮの説明図である。
【符号の説明】
【００７１】
１１，１２      アンテナ
１３            アンテナ切り換え回路
１４            無線受信部
１５            しきい値設定部
１６            切り換え制御部
【図１】
2006311396.tif 000003
【図２】
2006311396.tif 000004
【図３】
2006311396.tif 000005
【図４】
2006311396.tif 000006
【図５】
2006311396.tif 000007
【図６】
2006311396.tif 000008
【図７】
2006311396.tif 000009
【図８】
2006311396.tif 000010